(57)【特許請求の範囲】
【請求項１】
記録媒体からの音楽データを記憶手段に保存する保存処理と、前記記憶手段から音楽データを読み出し、読み出した該音楽データを再生させる再生処理と、を並行して行わせる制御手段を備えた記録再生装置において、
ユーザにより指定された再生位置が既保存領域内にあるか否かを判断する判断手段を有し、
前記保存処理が行われているときに、前記判断手段により前記指定された再生位置が既保存領域内にあると判断された場合、
前記制御手段が、前記保存処理をそのまま継続させる一方、前記指定された再生位置からの前記再生処理を行わせ、
前記保存処理が行われているときに、前記判断手段により前記指定された再生位置が既保存領域内にないと判断された場合、前記保存処理と前記再生処理との並行処理がそのまま継続されるように構成されていることを特徴とする記録再生装置。
【請求項２】
前記保存処理が行われているときに、前記判断手段により前記指定された再生位置が既保存領域内にないと判断された場合、ユーザによる前記再生位置を指定する操作が無効な入力操作である旨を告知する告知手段を備えていることを特徴とする請求項１記載の記録再生装置。
【発明の詳細な説明】
【技術分野】
【０００１】
本発明は記録再生装置に関し、より詳細には、音楽データの保存と再生とを並行処理す
ることが可能な記録再生装置に関する。
【背景技術】
【０００２】
近年、動画データや音声データなどの音楽データは、ディジタルデータとして扱われる
ことが一般的となっている。そして、ディジタルデータの高速伝送技術や、ＭＰＥＧ方式
に代表されるディジタルデータの圧縮技術の発達により、音楽データのサイズはより縮小
化され、その伝送速度はより高速化される傾向にある。
一方、音楽データを記録する記録媒体においても、ＤＶＤやハードディスクなどに代表
されるように大容量化が進められ、単一の記録媒体により多くの音楽データが収録される
ようになった。このような背景のもとで、音楽データの利用形態も変化してきている。
【０００３】
例えば、下記の特許文献１には、ハードディスク等の記録装置に格納された音楽データ
の読み出しと並行して、再生すべき時刻より所定時間だけ前に先読みされた音楽データを
補助記憶装置に保存する音声記録再生装置が開示されている。この音声記録再生装置によ
れば、記録媒体からの情報の読み出しができなくなっても、補助記憶装置に保存された音
楽データを利用することができるので、所定時間内にこれを回復させることで、連続した
再生を実現することができる。ただし、補助記憶装置に保存された音楽データは逐次上書
きされてしまい、再生しながらダビング保存することはできなかった。
【０００４】
最近では一般のパーソナルコンピュータによって、インターネット上のサーバから音楽
データをダウンロードすることができる。この場合、ダウンロードを実行するアプリケー
ションは、通常子プロセスを生成して与えられた各タスクに対応させるので、保存処理中
に他の音楽データを再生させることや、ダウンロード中に不要と判断した曲を削除するこ
とが可能である。
【０００５】
しかし、パーソナルコンピュータに接続されたＣＤドライブやＤＶＤドライブから録音
するときには、一般にユーザによる操作が制限されるか又は禁止される。さらに、このよ
うな操作にはマウス等の入力装置や広いモニタ画面を駆使した複雑な入力操作が不可欠と
なる。したがって、このような音声記録再生装置を車載用として用いると、この煩雑な操
作が安全運転を妨げる原因となる。そのため、このような音声記録再生装置は車載用には
不向きである。
【０００６】
一方、下記の特許文献２には、記録媒体に格納された音楽データを、再生速度以上の記
録速度で別の記録媒体に保存しつつ、再生する音声記録再生装置が開示されている。この
音声記録再生装置では、車両内で音楽情報を再生しつつ短時間で複写記録することができ
るようになっている。
【０００７】
しかしながら、特許文献２では、再生しながら保存する間のユーザによる操作について
は触れられていない。曲スキップや早送りなど、一般的な音声記録再生装置における操作
は、上述した音声記録再生装置においては、その保存処理や再生処理に支障を来す虞があ
り、これらの操作を許容するには様々な課題があるためと考えられる。したがって、保存
が終了するまでの間、ユーザによる操作が禁止されるものと考えられ、ユーザの満足度を
高めるものとはなっていない。
【特許文献１】特開平１０−１９９１４９号公報
【特許文献２】特開２００１−１５５４１１号公報
【発明の開示】
【課題を解決するための手段及びその効果】
【０００８】
本発明は上記課題に鑑みなされたものであって、音楽データの保存と再生との並行処理
時における、ユーザによる操作を許容しても、保存処理に支障を来すことのない記録再生
装置を提供することを目的としている。
【０００９】
上記目的を達成するために本発明に係る記録再生装置（１）は、記録媒体からの音楽データを記憶手段に保存する保存処理と、前記記憶手段から音楽データを読み出し、読み出した該音楽データを再生させる再生処理と、を並行して行わせる制御手段を備えた記録再生装置において、ユーザにより指定された再生位置が既保存領域内にあるか否かを判断する判断手段を有し、前記保存処理が行われているときに、前記判断手段により前記指定された再生位置が既保存領域内にあると判断された場合、前記制御手段が、前記保存処理をそのまま継続させる一方、前記指定された再生位置からの前記再生処理を行わせ、前記保存処理が行われているときに、前記判断手段により前記指定された再生位置が既保存領域内にないと判断された場合、前記保存処理と前記再生処理との並行処理がそのまま継続されるように構成されていることを特徴としている。
【００１０】
上記記録再生装置（１）によれば、前記保存処理が行われているときに、前記指定され
た再生位置が既保存領域内にあると判断された場合、前記保存処理が継続されたまま、前
記指定された再生位置からの前記再生処理が行われる。なお、ここでの再生位置とは、曲
マップ（音楽ＣＤなどの記録媒体に格納され、記憶手段に保存可能なすべての曲データを
繋ぎ合わせたデータ配列）において再生処理が行われている位置をいう。また、既保存領
域とは、既に記憶手段に保存されている音楽データで構成される曲マップ上の領域をいう
。また、ここでの音楽データとは音情報を形成するディジタルデータをいい、曲データと
は１つの曲を構成する音楽データの集合をいう。
【００１１】
前記指定された再生位置が既保存領域にある場合は、前記記録媒体からの音楽データを
使わなくても（すなわち、前記保存処理を中断させなくても）、前記記憶手段に保存され
ている音楽データを使えば、前記指定された再生位置からの再生処理が可能となる。換言
すれば、前記指定された再生位置が既保存領域にある場合、前記保存処理を継続させたま
ま、前記指定された再生位置からの前記再生処理を行うことができる。従って、前記保存
処理中であったとしても、可能な範囲内でユーザの所望する操作を実現することができる
。
【００１５】
また、上記記録再生装置（１）によれば、前記保存処理が行われているときに、前記指定された再生位置が既保存領域内にないと判断された場合、前記保存処理と前記再生処理との並行処理がそのまま継続される。前記指定された再生位置が既保存領域にない場合は、前記記録媒体からの音楽データを使わなければ（すなわち、前記保存処理を中断させなければ）、前記指定された再生位置からの再生処理はできない。
従って、ユーザから再生位置を指定する操作があったとしても、前記保存処理と前記再生処理との並行処理がそのまま継続され、前記指定された再生位置からの再生処理は行われないので、前記保存処理に支障を来すのを確実に防止することができる。
【００１６】
また、本発明に係る記録再生装置（２）は、上記記録再生装置（１）において、前記保存処理が行われているときに、前記判断手段により前記指定された再生位置が既保存領域内にないと判断された場合、ユーザによる前記再生位置を指定する操作が無効な入力操作である旨を告知する告知手段を備えていることを特徴としている。
【００１７】
上記記録再生装置（２）によれば、前記保存処理が行われているときに、前記判断手段
により前記指定された再生位置が既保存領域内にないと判断された場合（すなわち、前記
保存処理と前記再生処理との並行処理がそのまま継続され、前記指定された再生位置から
の再生処理が行われない場合）、ユーザによる前記再生位置を指定する操作が無効な入力
操作である旨が告知される。これにより、ユーザによる前記再生位置を指定する操作に応
じた処理（すなわち、前記指定された再生位置からの再生処理）が行われない原因が装置
の故障ではないことを、ユーザに容易に気づかせることができる。
【発明を実施するための最良の形態】
【００１８】
以下、本発明に係る記録再生装置の実施の形態を図面に基づいて説明する。図１は、実
施の形態（１）に係る記録再生装置の構成を概略的に示したブロック図である。図示した
ように、実施の形態（１）に係る記録再生装置は、制御部１００、読込部１１０、再生部
１３０、一時記憶部１４０、記憶部１５０、及び操作部１２０を含んで構成されている。
これら各部はバス２０を介して接続されており、各部間でのデータ通信が可能となってい
る。
【００１９】
読込部１１０は、制御部１００からの制御信号により制御され、ＣＤやＭＤ、ＤＶＤな
どの記録媒体１０に格納されている音楽データを読み込み、それをバス２０に逐次出力す
るものであり、ＣＤドライブやＭＤドライブ、ＤＶＤドライブなどを含んで構成されてい
る。
【００２０】
一時記憶部１４０は、制御部１００からの制御信号により制御され、バス２０から受信
した音楽データを逐次保存し、また、保存した音楽データをバス２０に出力するものであ
り、半導体メモリ等を含んで構成されている。なお、ここでの保存は一時的なものであり
、一時記憶部１４０の容量がいっぱいになると逐次上書きされていくようになっている。
【００２１】
記憶部１５０は、制御部１００からの制御信号により制御され、バス２０から受信した
音楽データを保存し、また、保存した音楽データをバス２０に出力するものであり、ハー
ドディスクやＤＶＤ等を含んで構成されている。
再生部１３０は、制御部１００からの制御信号により制御され、バス２０から受信した
音楽データをアナログ信号に変換して、スピーカ１３０Ａに出力するものであり、Ｄ／Ａ
変換回路や音声出力回路等を含んで構成されている。
操作部１２０は、ユーザによる操作入力を可能にし、操作入力情報を制御部１００に出
力するものであり、操作パネルやリモコンなどの入力装置を含んで構成されている。
【００２２】
制御部１００は、上記各部を制御するものであり、図示していないがＣＰＵやＲＡＭ、
ＲＯＭなどを含み、各部から受信した信号を基に演算処理を行い、各部に制御信号を出力
するように構成されている。そして操作部１２０を介して入力された操作入力情報を基に
、記録媒体１０から音楽データを読み込み、その音楽データを一時記憶部１４０に保存す
る読込処理（図１の１−１）、一時記憶部１４０から音楽データを読み出し、その音楽デ
ータを記憶部１５０に保存する保存処理（図１の１−２）、及び記憶部１５０から音楽デ
ータを読み出し、その音楽データを再生部１３０で再生させる再生処理（図１の１−３）
を並行的に行わせ得る構成となっている。読込処理、保存処理、及び再生処理を並行して
迅速に進めるため、ＣＰＵは各処理ごとに別々に設けられ、独立的に動作可能となってい
る。
【００２３】
図２は、実施の形態（１）に係る記録再生装置における制御部１００の動作を示したフ
ローチャートである。
読込部１１０に記録媒体１０が挿入されると、ステップＳ２００において、ＣＤにおけ
るＴＯＣ（table of contents ）情報のように記録媒体１０に格納されているコンテンツ
情報を、読込部１１０から読み込み、曲マップを作成する。このとき、記憶部１５０に格
納されているコンテンツ情報を基に照合を行って、その記録媒体１０について、既保存領
域及び未保存領域を確定する。次に、ステップＳ２０１に進み、操作部１２０を介して読
込処理開始の旨を示す操作入力がなされたか否かを判断する。
【００２４】
なお、既保存領域とは、前述したとおり、既に記憶手段（記憶部１５０）に保存されて
いる音楽データで構成される曲マップ上の領域をいう。未保存領域とは、保存されるべき
音楽データのうち、未だ記憶手段（記憶部１５０）に保存されていない音楽データで構成
される曲マップ上の領域をいう。
【００２５】
上記操作入力がなされたと判断すると、ステップＳ２０２に進んで、読込処理を開始す
る。これにより、読込部１１０は、記録媒体１０から読み込んだ音楽データを、所定の周
波数でバス２０に出力する処理を開始し、これに合わせて、制御部１００に含まれる読込
処理用回路は、読込部１１０から出力された音楽データを一時記憶部１４０に逐次保存す
る処理を開始する。
【００２６】
次に、ステップＳ２０３に進み、所定容量の音楽データが一時記憶部１４０に蓄積され
たか否かを判断する。所定容量の音楽データが蓄積されていないと判断すると、ステップ
Ｓ２０３に戻る一方、所定容量の音楽データが蓄積されたと判断すると、ステップＳ２０
４に進む。ステップＳ２０４では、一時記憶部１４０から所定容量分の音楽データを読み
出し、ステップＳ２０５に進んで、読み出した所定容量分の音楽データを記憶部１５０に
保存し、既保存領域及び未保存領域を更新する。
【００２７】
次に、ステップＳ２０６に進んで、記憶部１５０から所定容量分の音楽データを読み出
し、その後ステップＳ２０７に進んで、読み出した所定容量分の音楽データを再生部１３
０に伝送する。
次に、ステップＳ２０８に進み、操作部１２０を介して操作入力がなされたか否かを判
断する。操作入力がなされていないと判断するとステップＳ２０３に戻る一方、操作入力
がなされたと判断すると操作入力処理ステップＳ２０９に進んで、受信した操作入力情報
に基づく制御を行った後に、ステップＳ２１０に進む。ステップＳ２１０では、受信した
操作入力情報が処理の終了を示すものであるか否かを判断し、そうであると判断すると一
連の処理を終了し、そうでないと判断した場合にはステップＳ２０３に戻る。
【００２８】
なお、ユーザの操作入力に基づいて指定再生速度が更新されると、ステップＳ２０７に
おいて、制御部１００は、所定容量に圧縮又は伸長された音楽データを再生部１３０に伝
送する。例えば４倍の再生速度が指定されていると、再生速度を標準の再生速度より４倍
早く進めるため、所定容量の４倍の容量の音楽データを所定容量の音楽データに圧縮する
。また、指定再生速度が１倍以下のときは、逆に所定容量の音楽データに伸長する。ある
いは、負の再生速度が指定されていると、曲マップ上で再生位置の設定可能範囲を限定し
つつ、再生位置を逆に進める。これらは、それぞれ早送り再生機能、スロー再生機能及び
巻き戻し再生機能に該当する。
【００２９】
図３は、図２に示した操作入力処理ステップＳ２０９を詳細に示したフローチャートで
ある。
図示したように、まずステップＳ３００で受信した操作入力は再生位置指定を含むか否
かを判断する。再生位置指定は、一般的なオーディオ機器における曲スキップボタンや曲
番号ボタンを用いて入力される。受信した操作入力が再生位置指定を含むと判断すると、
ステップＳ３０１に進む一方、再生位置指定を含まないと判断するとステップＳ３０２に
進む。
【００３０】
ステップＳ３０１では、再生位置指定により指定された指定再生位置は既保存領域内で
あるか否かを判断する。既保存領域内であると判断すると、ステップＳ３０３に進んで再
生位置を更新した後、操作入力処理ステップＳ２０９を終了する。一方、既保存領域内で
ないと判断すると、ステップＳ３０４に進んで、ユーザに無効な入力操作である旨を告知
した後、操作入力処理ステップＳ２０９を終了する。
【００３１】
また、ステップＳ３０２では、操作入力は再生速度指定を含むか否かを判断する。再生
速度指定は、一般的なオーディオ機器における早送りボタンや巻き戻しボタン、倍速再生
ボタン等を用いて入力される。再生速度指定を含むと判断すると、ステップＳ３０５に進
んで再生速度を更新した後、操作入力処理ステップＳ２０９を終了する。一方、再生速度
指定を含まないと判断した場合には、ステップＳ３０６に進んで、他の操作入力情報に基
づく制御を行った後、操作入力処理ステップＳ２０９を終了する。
【００３２】
図４（ａ）〜（ｃ）は、本実施の形態に係る記録再生装置による読込処理、保存処理及
び再生処理の曲マップ上での進捗状況を模式的に示した図である。ここでは、記録媒体１
０に格納されている曲Ａ〜曲Ｇの７曲を、再生しながら保存する場合を示しており、曲Ａ
〜曲Ｇの各曲データは矩形で示されており、読込処理、保存処理及び再生処理の各処理の
進み具合いが、各矩形内に記入された斜線で模式的に示されている。
【００３３】
図４（ａ）は、再生処理中に、再生位置指定がユーザにより入力される前の状態の一例
を示している。図示したように、再生処理は、曲Ａの途中の再生位置までしか進んでいな
いのに対し、読込処理及び保存処理は、それぞれ曲Ｄの途中の読込位置Ａ及び保存位置Ａ
まで進んでいる。読込処理及び保存処理は、音声に変換する必要がないため、迅速な処理
が可能であるからである。
【００３４】
制御部１００は、再生位置指定の操作入力信号を受信すると、読込処理、保存処理及び
再生処理を並行的に行わせるために、ユーザ指定の指定再生位置が既保存領域内、すなわ
ち図４（ａ）における保存処理の斜線部内であるか否かを判断し、入力された再生位置指
定を有効とするか否かを決定する。以下、例として、図示したように、ユーザ指定の指定
再生位置が既保存領域内にある曲Ｃの冒頭部（指定再生位置Ａ）である場合と、未保存領
域内にある曲Ｆの冒頭部（指定再生位置Ｂ）である場合とについて説明する。
【００３５】
図４（ｂ）は、図４（ａ）の状態において指定再生位置Ａが操作入力された場合を示し
ている。図示したように、指定再生位置Ａは既保存領域内にあるため、指定再生位置Ａか
らの再生処理を行わせても問題はないので、制御部１００は再生位置を指定再生位置Ａに
更新し、ここから再生処理を行わせる。
【００３６】
図４（ｃ）は、図４（ａ）において指定再生位置Ｂが操作入力された場合を示している
。図示したように、指定再生位置Ｂは未保存領域内にあるため、対応する音楽データはま
だ記憶部１５０に保存されていないので、ここから再生処理を行わせることはできない。
従って制御部１００は、指定再生位置Ｂの操作入力を無効として扱い、引き続き曲Ａの途
中から再生処理を行わせる。
【００３７】
上記実施の形態（１）に係る記録再生装置によれば、保存処理が行われているときに、
ユーザにより指定された再生位置が既保存領域内にある場合、前記保存処理が継続された
まま、前記指定された再生位置からの再生処理が行われる。一方、前記指定された再生位
置が既保存領域内にない場合、前記保存処理と前記再生処理との並行処理がそのまま継続
される。
【００３８】
前記指定された再生位置が既保存領域にある場合は、記録媒体１０からの音楽データを
使わなくても（すなわち、前記保存処理を中断させなくても）、記憶部１５０に保存され
ている音楽データを使えば、前記指定された再生位置からの再生処理が可能となる。換言
すれば、前記指定された再生位置が既保存領域にある場合、前記保存処理を継続させたま
ま、前記指定された再生位置からの前記再生処理を行うことができる。従って、前記保存
処理中であったとしても、可能な範囲内でユーザの所望する操作を実現することができる
。また、再生速度指定を行うことにより、スロー再生機能や早送り再生機能を実現するこ
とができ、ユーザの満足度を高めることができる。特に、早送り再生機能は、聴きながら
聴きたい音楽データを検索することができるので、便利なものである。
【図面の簡単な説明】
【００３９】
【図１】本発明の実施の形態（１）に係る記録再生装置の構成を概略的に示したブロック図である。
【図２】実施の形態（１）に係る記録再生装置における制御部の動作を示したフローチャートである。
【図３】図２に示した操作入力処理ステップを詳細に示したフローチャートである。
【図４】実施の形態（１）に係る記録再生装置による読込処理、保存処理及び再生処理の曲マップ上での進捗状況を模式的に示した図であり、（ａ）は再生処理中に、再生位置指定がユーザにより入力される前の状態の一例、（ｂ）は指定再生位置Ａが操作入力された場合、（ｃ）は指定再生位置Ｂが操作入力された場合をそれぞれ示している。
【符号の説明】
【００４０】
１０  記録媒体
２０  バス
１００  制御部
１１０  読込部
１２０  操作部
１３０  再生部
１３０Ａ  スピーカ
１４０  一時記憶部
１５０  記憶部
【図１】
0004610301.tif 000002
【図２】
0004610301.tif 000003
【図３】
0004610301.tif 000004
【図４】
0004610301.tif 000005